(57)【要約】【課題】三角柱状トラス鉄筋１０を安定して支持する。【解決手段】上下主鉄筋１１、１２及び斜鉄筋１３から成る三角柱状トラス鉄筋１０の両下主鉄筋１２をそれぞれサポート材２０の脚２１で受けるようにして支持する。受けて支持すれば、荷重はその脚２１全体にかかるため、溶接はズレ止め程度に行えばよく、溶接強度がサポート（支持）強度に影響しにくい。このため、安定したトラス鉄筋１０の支持を行い得る。さらに、両脚２１、２１から立ち上がる連結部材２２の中程凹部２２ａに上主鉄筋１１を嵌め、３点支持としてより安定化させる。【選択図】  図４
2004270194.tif 000002
【特許請求の範囲】
【請求項１】
三角柱状の各長辺の位置に１本の上主鉄筋１１と２本の下主鉄筋１２、１２を配置するとともに、前記上主鉄筋１１と両下主鉄筋１２、１２の間にそれぞれ斜鉄筋１３を溶接した三角柱状トラス鉄筋１０を、その端部でもってコンクリート型枠１に支持するサポート材２０であって、
両側対の脚２１と、その両脚２１、２１を一体とする連結部材２２とから成り、前記脚２１は、上記下主鉄筋１２の外側において上記型枠１から立ち上がり、前記下主鉄筋１２の高さに至ると内側に屈曲２１ａして前記下主鉄筋１２を載せた後、上向きとなって前記連結部材２２に連結していることを特徴とするサポート部材。
【請求項２】
上記連結部材２２は、その長さ方向中程が上記上主鉄筋１１の下面に至ってその上主鉄筋１１を支えていることを特徴とする請求項１に記載のサポート部材。
【発明の詳細な説明】
【０００１】
【発明の属する技術分野】
この発明は、集合住宅などのスラブを形成する際に使用するトラス鉄筋のサポート材に関するものである。
【０００２】
【従来の技術】
例えば、図８に示す集合住宅のスラブＳには、軽量化等のため、中空管などから成るボイド型枠２を埋設したものが採用される。そのスラブＳは、図９に示すように、コンクリート型枠１上に、三角柱状トラス鉄筋１０を並列に配設するとともに、その各トラス鉄筋１０間にボイド型枠２を配設し、さらに、そのトラス鉄筋１０及びボイド型枠２の上下に上下配筋３、４を配設し、これらを適宜手段により一体化した後、型枠１上にコンクリートＣを打設して構築する。
【０００３】
上記トラス鉄筋１０は、三角柱状の各長辺の位置に１本の上主鉄筋１１と２本の下主鉄筋１２、１２を配置するとともに前記上主鉄筋１１と両下主鉄筋１２、１２の間にそれぞれ斜鉄筋１３を設けたものである。その斜鉄筋１３は、下端から斜めに起立し上端で屈曲しさらに下端で起立を繰り返す波形を呈して上端部及び下端部で前記上主鉄筋１１及び下主鉄筋１２にそれぞれ溶接されている。
【０００４】
この三角柱状トラス鉄筋１０の型枠１又は支柱（梁）６への支持手段として、従来、図９に示すように、トラス鉄筋１０の端部上主鉄筋１１と両下主鉄筋１２、１２間に斜板片５を溶接し、その斜板片５を型枠（支柱）６に支持固定するものがある（非特許文献１参照）。また、図１０に示すように、上下主鉄筋１１、１２、１２間に十字状の支持筋５ａを溶接したり（特許文献１参照）、図１１に示すように、下主鉄筋１２が１本のトラス鉄筋１０’にあっては、単に１本の支持筋５ｂを上下主鉄筋１１、１２に溶接したものもある（特許文献２）。
【０００５】
【非特許文献１】
意匠登録第１１４４３４１号公報
【特許文献１】
特開２００１−３１７１４７号公報
【特許文献２】
特開２００１−２９５４０４号公報
【０００６】
【発明が解決しようとする課題】
トラス鉄筋１０、１０’はスラブ荷重を支えて梁６（支保工７）に伝えるものであり、図１１に示すように、下主鉄筋１２が１本のトラス鉄筋１０’では、１本の支持筋（サポート筋）で十分であるが、図１０に示すように、三角柱状トラス鉄筋１０では、その支持筋５ａを十字状としており、この十字状であると、支持筋５ａをなす十字状筋の中央溶接部にトラス鉄筋１０の全荷重がかかり、溶接強度が必要である。このため、その溶接に注意が必要であった。また、十字状支持筋５ａの垂直筋での支持は、立ち上がった１本の筋のみによるため、安定性に欠け、トラス鉄筋１０が不安定であった。
【０００７】
この発明は、三角柱状トラス鉄筋を安定して支持し得るようにすることを課題とする。
【０００８】
【課題を解決するための手段】
上記の課題を達成するために、この発明は、三角柱状トラス鉄筋の両下主鉄筋をそれぞれ脚で受けるようにして支持するようにしたのである。受けて支持すれば、荷重はその脚全体にかかるため、溶接はズレ止め程度に行えばよく、溶接強度がサポート（支持）強度に影響しにくい。このため、安定したトラス鉄筋の支持を行い得る。
【０００９】
【発明の実施の形態】
この発明の実施形態としては、三角柱状の各長辺の位置に１本の上主鉄筋と２本の下主鉄筋を配置するとともに、前記上主鉄筋と両下主鉄筋の間にそれぞれ斜鉄筋を溶接した三角柱状トラス鉄筋を、その端部でもってコンクリート型枠に支持するサポート材において、両側対の脚と、その両脚を一体とする連結部材とから成り、前記脚は、前記下主鉄筋の外側において前記型枠から立ち上がり、前記下主鉄筋の高さに至ると内側に屈曲して前記下主鉄筋を載せた後、上向きとなって前記連結部材に連結している構成を採用し得る。
【００１０】
この構成において、上記連結部材を、その長さ方向中程が上記上主鉄筋の下面に至ってその上主鉄筋を支える構成とすれば、トラス鉄筋の３本の主鉄筋がそれぞれ支えられる、いわゆる３点支持となって、トラス鉄筋がより安定して支持される。このとき、連結部材の中程にはその上主鉄筋が嵌まる凹部を形成して、その支持をより安定化することができる。なお、この発明に係わるサポート材は、請求の範囲も含めて型枠に支持される場合のみならず、梁などに直接に支持される場合もある。このため、コンクリート型枠にはそれらの梁も含まれる。
【００１１】
【実施例】
図１乃至図３に一実施例を示し、同図において、上述と同一符号は同一物を示してその説明を省略する。この実施例は、型枠１を捨て枠となる矩形鉄板でなし、その鉄板１上に、三角柱状トラス鉄筋１０、ボイド型枠２及び上下配筋３、４を適宜に配設している。ボイド型枠２には、帯状鉄板をらせん状に巻回し、その継ぎ目を溶接またはハゼ折り接合したスパイラル鋼管（ワインディングパイプ）を使用する。
【００１２】
トラス鉄筋１０の端部には、この発明に係るサポート材（支持材）２０が配置され、このサポート材２０は、両下主鉄筋１２、１２の下面に位置する対の脚２１と、その両脚２１を連結する部材２２とから成る。その脚２１は、トラス鉄筋１０の長さ方向の型枠１に沿う水平筋２１ｂから立ち上がり、下主鉄筋１２の高さに至ると内側に屈曲してその屈曲部２１ａに下主鉄筋１２を載せて支持する（図２参照）。水平筋２１ｂは、図２（ｂ）鎖線で示すように梁６前面に屈曲させて係止するようにし得る。連結部材２２は、その脚２１の屈曲部２１ａの端から上方に立ち上がって上主鉄筋１１に至っている。この連結部材２２の高さは、図３（ａ）、（ｂ）に示すように、トラス鉄筋１０の高さに応じて適宜に選定する。
【００１３】
このサポート材２０は、トラス鉄筋１０の上下主鉄筋１１、１２、１２との接点を適宜に溶接し、型枠１にも必要があれば溶接する。その溶接は、ズレ防止が行われれば十分のため、簡易なものでよい。また、脚２１下部の水平筋２１ｂは省略してもよい。図中、７は支保工である。
【００１４】
また、図４、図５に示すように、連結部材２２の中程に上主鉄筋１１が嵌まる凹部２２ａを形成すれば、その支持がより安定化する。さらに、図６、図７に示すように、連結部材２２は上主鉄筋１１に至らない（支持しない）ものとし得る。これらの各サポート材２０は、ラチス筋と同径・同質の鋼材をプレス成形などで作成する。
【００１５】
この実施例は、コンクリート型枠を捨て型となる鉄板１で構成したが、その型枠には、従来周知の木製型枠を使用し得ることは勿論であり、また、ボイド型枠２にも、ロール管、合成樹脂製のものなどの種々の周知のものを採用し得る。さらに、ボイド型枠２を使用しないスラブＳにもこの発明は採用し得る。
【００１６】
【発明の効果】
この発明は、以上のように、三角柱状トラス鉄筋をその下主鉄筋を受けるように支持したので、その支持が安定し、各主鉄筋との溶接強度も要求されない等、作業性も向上する。
【図面の簡単な説明】
【図１】一実施例の要部斜視図
【図２】（ａ）は同要部正面図、（ｂ）は同右側面図
【図３】同実施例のサポート材の各例図
【図４】他の実施例の要部斜視図
【図５】同実施例のサポート材の各例図
【図６】他の実施例の要部斜視図
【図７】同実施例のサポート材の正面図
【図８】中空スラブの施工例の概略図
【図９】従来例の要部斜視図
【図１０】従来例の要部斜視図
【図１１】従来例の要部斜視図
【符号の説明】
１  コンクリート型枠（矩形鉄板）
２  ボイド型枠
３  上配筋
４  下配筋
５  斜板片
６  梁
７  支保工
１０  三角柱状トラス鉄筋
１１  上主鉄筋
１２  下主鉄筋
１３  斜鉄筋
２０  サポート材（支持材）
２１  サポート材の脚
２１ａ  屈曲部
２２  サポート材の脚連結部材
Ｃ  コンクリート
Ｓ  スラブ
【図１】
2004270194.tif 000003
【図２】
2004270194.tif 000004
【図３】
2004270194.tif 000005
【図４】
2004270194.tif 000006
【図５】
2004270194.tif 000007
【図６】
2004270194.tif 000008
【図７】
2004270194.tif 000009
【図８】
2004270194.tif 000010
【図９】
2004270194.tif 000011
【図１０】
2004270194.tif 000012
【図１１】
2004270194.tif 000013